(57)【要約】【課題】  バストを美感よく造形する。【解決手段】  人体のバストをそれぞれの下縁で支えるとともに、それぞれの外縁が前記人体のそれぞれ脇に近接して位置する一対のカップ部１０と、一対のカップ部１０の、少なくともいずれか一方を補強する帯状の補強体３０とを備え、補強体３０は、カップ部１０の下縁の側から延出し、カップ部１０のカップ頂上Ｔ近傍にて屈曲又は湾曲して前記カップ部の外縁の側に達している、カップ付き衣類としてのブラジャー１。【選択図】  図１
2018040087.tif 000002
【特許請求の範囲】
【請求項１】
人体のバストをそれぞれの下縁で支える一対のカップ部と、
前記一対のカップ部の、少なくともいずれか一方を補強する補強体とを備え、
前記補強体は、
前記カップ部の前記下縁の側から延出し、前記カップ部の頂上又は頂上近傍にて屈曲又は湾曲して、前記カップ部の、前記人体の両腋のそれぞれに近接する外縁の側に達している、
カップ付き衣類。
【請求項２】
前記カップ部の、前記補強体に囲まれる領域は、他の領域よりも伸縮性が小さい、
請求項１に記載のカップ付き衣類。
【請求項３】
前記補強体は、
その一端が前記カップ部の前記外縁に達する帯状の第１の副補強部と、
その一端が前記カップ部の前記下縁に達する帯状の第２の副補強部とを備え、
前記第１の副補強部の他端と前記第２の副補強部の他端とが、前記カップ部の頂上又は頂上近傍にて一体化している、
請求項１又は２に記載のカップ付き衣類。
【請求項４】
前記補強体の前記第２の副補強部は、前記カップ部の頂上から前記カップ部の外縁に向かって傾斜して延出している、
請求項３に記載のカップ付き衣類。
【請求項５】
前記補強体の、前記第１の副補強部と前記第２の副補強部とがなす角は、
前記カップ部の寸法又は形状毎に異なる角度である、
請求項３又は４に記載のカップ付き衣類。
【請求項６】
前記第１の副補強部及び第２の副補強部の少なくともいずれか一方は、
保護スリーブと、前記保護スリーブに収容され、少なくとも前記カップ部の表面に対する接線方向に弾性を有する芯材とを有する、
請求項２から５のいずれかに記載のカップ付き衣類。
【請求項７】
前記芯材はスパイラルボーンである、請求項６に記載のカップ付き衣類。
【請求項８】
ストラップレスブラジャーである、
請求項１から７のいずれかに記載のカップ付き衣類。
【発明の詳細な説明】
【技術分野】
【０００１】
本発明は、例えばブラジャーとして実施されるカップ付き衣類に関する。
【背景技術】
【０００２】
下着類において女性用のファンデーションは保温、衛生の維持のみならず、それを着用する者の体型を調整し、美感を強調する機能を有する。特にブラジャーは、バストを美感よく造形することを目的として、バストを上げる、寄せる等の機能を向上させるべく、種々の技術が提案されている。
【０００３】
そのような技術の一例として、特許文献１には、カップ布の上下に渡って、湾曲した弾性的なＶ字形の骨材を配設した構成を開示しており、これにより、カップ布に上下方向の形状安定性が付与され、バストの形状を円錐形に保持するとされている（例えば図１等を参照）。
【先行技術文献】
【特許文献】
【０００４】
【特許文献１】特開平７−２５２７０４号公報
【発明の概要】
【発明が解決しようとする課題】
【０００５】
しかしながら、上記従来のブラジャーにおいては、以下のような課題があった。すなわち、Ｖ字形の骨材が上下に渡って配設されたカップ布によるバストの支持は、バストを胸に向かって圧迫させることはできても十分に上げることはできず、バストを美感よく造形することは困難であった。さらに、ブラジャーの着用者が激しい運動等を行った場合、カップ内にてバストの位置ずれが生じ、造形されたバストの形状を保持することが困難であった。
【０００６】
本発明は、上記の課題に鑑みてなされたものであり、バストを美感よく造形することが可能なカップ付き衣類を提供することを目的とする。
【課題を解決するための手段】
【０００７】
上記の目的を達成するために、本発明の第１の側面は、人体のバストをそれぞれの下縁で支える一対のカップ部と、前記一対のカップ部の、少なくともいずれか一方を補強する補強体とを備え、前記補強体は、前記カップ部の前記下縁の側から延出し、前記カップ部の頂上又は頂上近傍にて屈曲又は湾曲して、前記カップ部の、前記人体の両腋のそれぞれに近接する外縁の側に達している、カップ付き衣類である。
【０００８】
本発明の第２の側面は、前記カップ部の、前記補強体に囲まれる領域は、他の領域よりも伸縮性が小さい、本発明の第１の側面のカップ付き衣類である。
【０００９】
本発明の第３の側面は、前記補強体は、その一端が前記カップ部の前記外縁に達する帯状の第１の副補強部と、その一端が前記カップ部の前記下縁に達する帯状の第２の副補強部とを備え、前記第１の副補強部の他端と前記第２の副補強部の他端とが、前記カップ部の頂上又は頂上近傍にて一体化している、本発明の第１又は第２の側面のカップ付き衣類である。
【００１０】
本発明の第４の側面は、前記補強体の前記第２の副補強部は、前記カップ部の頂上から前記カップ部の外縁に向かって傾斜して延出している、本発明の第３の側面のカップ付き衣類である。
【００１１】
本発明の第５の側面は、前記補強体の、前記第１の副補強部と前記第２の副補強部とがなす角は、前記カップ部の寸法又は形状毎に異なる角度である、本発明の第３又は第４の側面のカップ付き衣類である。
【００１２】
本発明の第６の側面は、前記第１の副補強部及び第２の副補強部の少なくともいずれか一方は、保護スリーブと、前記保護スリーブに収容され、少なくとも前記カップ部の表面に対する接線方向に弾性を有する芯材とを有する、本発明の第２から第５のいずれかの側面のカップ付き衣類である。
【００１３】
本発明の第７の側面は、前記芯材はスパイラルボーンである、本発明の第６の側面のカップ付き衣類である。
【００１４】
本発明の第８の側面は、ストラップレスブラジャーである、本発明の第１から第７のいずれかの側面のカップ付き衣類である。
【発明の効果】
【００１５】
以上のような本発明は、カップ付き衣類においてバストを美感よく造形するとともに造形された形状を安定して保持することが可能になるという効果を奏する。
【図面の簡単な説明】
【００１６】
【図１】本発明の実施の形態に係るブラジャーの構成を示す斜視図
【図２】本発明の実施の形態に係るブラジャーのカップ部の構成を示す分解斜視図
【図３】（ａ）本発明の実施の形態に係るブラジャーのカップ部の構成を示す正面図（ｂ）本発明の実施の形態に係るブラジャーのカップ部の構成を示す底面図
【図４】（ａ）本発明の実施の形態に係るブラジャーの補強体の構成を示す斜視図（ｂ）本発明の実施の形態に係るブラジャーの補強体の芯材の構成を示す斜視図
【図５】（ａ）本発明の実施の形態に係るブラジャーのカップ部の構成を示す図（ｂ）本発明の他の実施の形態に係るブラジャーのカップ部の構成を示す図
【図６】（ａ）本発明の他の実施の形態に係るブラジャーのカップ部の構成を示す図（ｂ）本発明の他の実施の形態に係るブラジャーのカップ部の構成を示す図
【図７】（ａ）本発明の他の実施の形態に係るブラジャーのカップ部の構成を示す図（ｂ）本発明の他の実施の形態に係るブラジャーのカップ部の構成を示す図
【発明を実施するための形態】
【００１７】
以下、本発明の実施の形態について、図面を参照しながら説明する。
【００１８】
図１は、本発明の実施の形態に係る、ハーフカップのストラップレスブラジャーであるブラジャー１の構成を示す斜視図である。
【００１９】
図１に示すように、ブラジャー１は、その着用者のバストに対応する一対のカップ部１０、一対のカップ部１０の内側の端部同士が正対する位置にて設けられ、一対のカップ部１０を結びつける前中心部２０ａ、着用者の腋に対応して一対のカップ部１０のそれぞれの外側の端部に位置する脇布部２０ｂ、及び、着用者の背中に対応して脇布部２０ｂから延出し、図示しない両端がホック等の周知の技術的手段により脱着自在に結合されるバック部２０ｃを主要素として構成される。なお、前中心部２０ａ、脇布部２０ｂ及びバック部２０ｃは一枚の生地である土台布の各部位として構成される。土台布としては、ポリエステル、ナイロン等の織布を材料として用いることができる。
【００２０】
一対のカップ部１０の上側の縁は、図中点線を境界とする縫着領域２０ｘをかがり縫い等することにより縫着される。また、一対のカップ部１０と土台布の下側の縁は、ゴム製の下縁部２０ｙにより被覆された状態で縫着される。更に、脇布部２０ｂと一対のバック部２０ｃとの間には、カップ部１０を補助してバストを安定して保持するためのサイドボーン２２が縫着、接着等の手段により土台布に接合されている。
【００２１】
なお、下縁部２０ｙ及びサイドボーン２２は、土台布に対して着用者の体表寄りの側に位置する。したがって、図１に示す向きには、下縁部２０ｙ及びサイドボーン２２は土台布の後方に隠れることとなり、それぞれの輪郭を破線により示した。
【００２２】
次に、カップ部１０は、着用者のバストの位置及び形状に対応した略碗状又は略円錐状等の形状を有する部位であって、着用者のバストトップの位置に対応した位置にあるカップ頂上Ｔを含み、後述するカップ本体１１、カップくり１４及び図示しないマーキ並びに補強体３０により構成される。
【００２３】
なお、マーキはカップ本体１１全体の補強に用いられる部材である。また、マーキはカップ本体１１の外形や後述するカップ本体１１を構成して縫合される各部分の個別形状に対応した任意の形状をとることができる。ただし、カップ部１０においてマーキは省略した構成であるとしてもよい。
【００２４】
カップ部１０においては、単体で露出する上辺とマーキの上辺とが縫着領域２０ｘにて縫着されることによりカップ本体１１及びマーキが一体化する。土台布と重なる下辺はカップくり１４及びマーキがカップ本体１１を挟み込んで土台布に縫着されることにより一体化する。
【００２５】
次に、図２及び図３を参照して、カップ部１０の構成を説明する。ただし図２はカップ部１０の構成を示す分解斜視図であり、図３（ａ）は、カップ部１０の構成を着用者の正面側からみた方向を正面としてＸ−Ｙ平面に投影した正面図であり、図３（ｂ）はカップ部１０の膨らみの方向をＺ軸とした底面図である。以下、適宜、図中Ｘ軸に沿って脇布部２０ｂに近い側を右側、前中心部２０ａに近い側を左側と定める。同様に、図中Ｙ軸に沿って縫着領域２０ｘに近い側を上側、下縁部２０ｙに近い側を下側と定め、図中Ｚ軸に沿って後述するカップ頂上Ｔに近い側を手前側、縫着領域２０ｘ及び下縁部２０ｙに近い側を奥側と定める。
【００２６】
図２に示すように、カップ部１０においては、カップ本体１１に対して、ブラジャー１の使用時における着用者の体表に遠い側から、補強体３０、次いでカップくり１４が順に積層される。カップ本体１１は、カップ頂上Ｔより上側に位置する上カップ１１ｘに対応するカップ布１１ａと、カップ頂上Ｔより下側に位置する下カップ１１ｙに対応するカップ布１１ｂ及び１１ｃとを備える。なお、カップ布１１ｂは右側、すなわち着用者の脇布部２０ｂ寄りに位置し、カップ布１１ｃは左側、すなわち前中心部２０ａ寄りに位置して、下カップ１１ｙを左右に分けている。
【００２７】
カップ布１１ａ、１１ｂ及び１１ｃは、例として、ポリエステル、ナイロンを材料として用い、ダブルラッセル編み等により作成した部材、又は綿その他の不織布をナイロン織布又は編布等により被覆することにより作成した部材である。
【００２８】
カップ布１１ａとカップ布１１ｂは縫合線１２ｘを、カップ布１１ｂとカップ布１１ｃは縫合線１２ｙを、カップ布１１ｃとカップ布１１ａは縫合線１２ｚをそれぞれ境界として、カップ布１１ｂ及びカップ布１１ｃのそれぞれの頂角がカップ布１１ａの下辺にて隣接する箇所がカップ頂上Ｔを形成するよう立体的に縫着されることにより、図３（ｂ）に示すようにカップ頂上Ｔを頂上とする、略碗状又は略円錐状等の形状を形成する。なお、カップ本体１１は３つのカップ布１１ａ、１１ｂ及び１１ｃから構成されるものとしたが、２つ又は４つ以上のカップ布から構成されるものとしてもよい。
【００２９】
次に、カップくり１４は織布、編布又はそれらにワイヤ等の芯材を含んで構成される部材であって、カップ本体１１と前中心部２０ａとの縫着部分からカップ本体１１と脇布部２０ｂとの縫着部分を両端として下方に突出する向きに湾曲した態様を有し、カップ部１０によるいわゆるバージスラインの形成を補助する役割を果たす。
【００３０】
次に、補強体３０は、頂点を含むように屈曲した一本の帯が平面形状略Ｌ字又はＶ字状の外形を形作ってなる部材であって、カップ頂上Ｔを含めた縫合線１２ｘ及び縫合線１２ｙ上に沿って配置されるとともに、カップ布１１ａ及び１１ｂ並びにカップ布１１ｂ及び１１ｃにそれぞれ縫着されることにより、カップ本体１１に一体的に固定される。
【００３１】
補強体３０の頂点部３０ｘはカップ本体１１上にあってカップ頂上Ｔの位置に一致する位置に配置され、帯の一端である一端３０ｙは縫合線１２ｘに沿って右側、脇布部２０ｂのサイドボーン２２に向かって延出し、帯の他端である他端３０ｚは縫合線１２ｙに沿って下側、下縁部２０ｙまで延出する。ここでカップ本体１１のサイドボーン２２近傍の位置は、本発明の外縁に相当し、下縁部２０ｙ近傍の位置は、本発明の下縁に相当する。
【００３２】
次に、補強体３０は、図２に示すように、一端３０ｙを含むとともに縫合線１２ｘに沿った帯状の形状を有する第１の副補強部３１と、他端３０ｚを含むとともに縫合線１２ｙに沿った帯状の形状を有する第２の副補強部３２とから構成される。第１の副補強部３１において一端３０ｙに対して他端となる端部３１ｘと、第２の副補強部３２において他端３０ｚに対して他端となる端部３２ｘとが、領域Ｒにて重なりあって一体化して頂点部３０ｘを形成することにより、補強体３０は略Ｌ字状又はＶ字状の外形を形成している。なお、図２に示すように、補強体３０はカップ本体１１よりも奧側、すなわち着用者の体表寄りの側に位置する。したがって、図１において補強体３０は、下縁部２０ｙ及びサイドボーン２２と同様土台布の後方に隠れることとなり、その輪郭を破線により示した。
【００３３】
ここで図４（ａ）に例として第１の副補強部３１の構成を示す。図４（ａ）に示すように、第１の副補強部３１は、ポリエステル等のパイル生地素材により作成された筒状の保護スリーブ３１ａ、保護スリーブ３１ａに収容される、ポリエステル等の素材を筒状に巻き回してなる芯地３１ｂ、及び筒状の芯地３１ｂに更に収容された芯材３１ｃから構成され、カップ本体１１の表面に沿った面が扁平な帯状の部材である。
【００３４】
芯材３１ｃは、第１の副補強部３１に定形性と弾性を与える長大な帯状の部材であって、図４（ｂ）に示すスパイラルボーンにより実現される。ただし、芯材３１ｃはコイルボーンを用いるものとしてもよいし、合成樹脂、金属等の弾性を有する板状の部材を用いるものとしてもよい。
【００３５】
再度図４（ａ）を参照し、保護スリーブ３１ａにおいて芯材３１ｃの両端は、内部空間の終端である縫目３１ａ２に対して空隙３１ａ１を有した状態で位置しており、したがって、芯材３１ｃは保護スリーブ３１ａ内を移動可能な状態で収容され、これにより、保護スリーブ３１ａの収縮時に芯材３１ｃがスリーブの外にはみ出すことが妨げられる。
【００３６】
なお、図４（ａ）及び（ｂ）は第１の副補強部３１を例に取ったが、第２の副補強部３２も同様の構成を有する。また、図２に示すように、第２の副補強部３２は領域Ｒにて第１の副補強部３１より手前に重ねられており、領域Ｒはカップ本体１１のカップ頂上Ｔに一致する位置に配置される。更に、図３（ａ）に示すように、第１の副補強部３１の芯材３１ｃ及び第２の副補強部３２の芯材３２ｃはそれぞれカップ頂上Ｔの手前まで延出して配置されている。したがって、第１の副補強部３１と第２の副補強部３２の重なる領域Ｒは、各副補強部の、それぞれの芯材を除く部分によって構成されるとともに、カップ頂上Ｔは、カップ本体１１の生地並びに第１の副補強部３１及び第２の副補強部３２の芯材を除く素材により形成されることとなる。
【００３７】
更に、図１〜３の各図においては、第１の副補強部３１及び第２の副補強部３２はカップ本体１１の表面形状に対応して湾曲した態様にてカップ本体１１上に固定され、したがって湾曲した状態として示した。
【００３８】
以上のような構成を有するブラジャー１において、カップ部１０は本発明のカップ部に相当し、補強体３０は本発明の補強体に相当し、第１の副補強部３１は本発明の第１の副補強部に、第２の副補強部３２は本発明の第２の副補強部に、それぞれ相当する。更に、保護スリーブ３１ａは本発明の保護スリーブに相当し、芯材３１ｃは本発明の芯材に相当する。
【００３９】
このような構成を有する本実施の形態のブラジャー１は、カップ部１０においてカップ頂上Ｔの位置に一致する位置に配置された頂点部３０ｘを有するとともに縫合線１２ｘ及び縫合線１２ｙ上に沿って配置された補強体３０が設けられたことを特徴とする。
【００４０】
以下、説明を行う。すなわち、従来のブラジャー、とりわけハーフカップのストラップレスブラジャーにおいては、カップ単体の構造によりバストを造形する必要があるが、その効果は主にバストを身体の中心に向かって圧迫するよう変化させるに止まり、バストを十分に美感よく造形することは困難であった。
【００４１】
一方、３／４カップブラジャーのようなストラップ付きブラジャーにおいては、ストラップによりバストを持ち上げることにより、カップによる寄せの作用と併せてバストを造形するようにしているが、ストラップそのものがバストの美感を損ねることとなり、更にはストラップの負荷が着用者の肩に加わることとなってしまう。
【００４２】
本発明は、以上のような考察に基づきなされたものであって、上記特徴を備えたことにより、以下の効果を奏する。すなわち、カップ部１０においてカップ本体１１はカップ頂上Ｔから着用者の腋側に沿って、補強体３０の主として第１の副補強部３１により補強されることにより、着用者のバストの外寄り部分、すなわち腋寄りの部分が押圧される。更に、カップ本体１１は、カップ頂上Ｔからバストの下方に向かって、補強体３０の主として第２の副補強部３２により補強されることにより、着用者のバストが下方から押圧される。
【００４３】
更に、図３に示すように、補強体３０が固定されたことにより、カップ本体１１は第１の副補強部３１及び第２の副補強部３２並びに図示しないカップくり１４により囲まれてなる着用者の腋寄りの第１の領域１０ａと、上カップ１１ｘの周縁及びカップくり１４に囲まれた残りの領域である第２の領域１０ｂとに区画される。カップ本体１１は一様な伸縮率を有するが、芯材３１ｃを含む補強体３０とワイヤを含むカップくり１４とに囲まれてなる第１の領域１０ａは、バストに対して面として押圧する作用を生じさせる。
【００４４】
したがって、着用者のバストは、補強体３０及び第１の領域１０ａにより総体として腋側から中央、すなわち前中心部２０ａに向かって押圧され、且つ補強体３０単体により下方から上方へ押圧されることとなり、着用者の身体の腋側への移動、いわゆる腋流れが抑制されるとともに胸部中央に寄せられることとなる。その結果、バストの谷間の陰影が強調されるとともに、胸部のカップ部１０の上辺より上部の位置に膨張感が与えられ、バスト全体が美感よく造形される。
【００４５】
特に、本実施の形態においては、図３に示すように、補強体３０を構成する第２の副補強部３２が、カップ頂上Ｔを起点として、Ｙ軸により示す直下方向からカップ本体１１の外縁に向かって傾斜して延出していることにより、バスト直下の膨らみが押さえつけられることを抑制するとともに胸部中央に寄せやすくして、バストをより美感よく造形することが可能となる。
【００４６】
なお、補強体３０において、第１の副補強部３１及び第２の副補強部３２がなす角は、カップ部１０の寸法や形状に応じて異ならせるようにしてもよい。すなわち、図５（ａ）に示す、第１の副補強部３１及び第２の副補強部３２がなす角θ１は、例としてカップ部１０の寸法が大きくなるほど大きくすることにより、バストの大きさに追従して第１の領域１０ａの面積を拡大して、バストの腋流れの抑制効果を高めることが可能となる。更に、着用者のバストの形状に応じてカップ部１０の形状に個人差が生ずる場合であっても、その変化に追従して、バストを美感よく造形することが可能となる。
【００４７】
更に、この場合において、図５（ｂ）に示すように、第１の副補強部３１と第２の副補強部３２とのなす角θ２が、鈍角になってもよい。この場合は特に大きなバストの寸法に対して腋流れを抑制するとともに、バージスラインを良好に保つことが可能となる。
【００４８】
このように、本実施の形態によれば、カップ部１０のみでバストを美感よく造形することが可能となる。特にハーフカップのブラジャーとしてブラジャー１を実施した場合、ストラップが省略されることで、着用者の肩及び襟ぐりを大きく露出させて、着用者のバストを含めた上半身の美感を向上させる効果、及び着用者の肩への負担を低減する効果を併せて奏し、特に好適である。
【００４９】
更に、本実施の形態においては、第１の副補強部３１及び第２の副補強部３２がそれぞれの芯材３１ｃ及び３２ｃとしてスパイラルボーンを備えたことにより、以下の効果を奏する。スパイラルボーンはその延伸方向に直交する平面上にほぼ等方的な弾性を有することにより、第１の副補強部３１及び第２の副補強部３２は、カップ部１０の表面の法線方向及び接線方向の双方において等方的な弾力をバストに与えている。これにより、カップ部１０のバストへの追従性が更に高められ、バストの美感ある造形を保持することができる。
【００５０】
更に、本実施の形態においては、第１の副補強部３１の芯材３１ｃ及び第２の副補強部３２の芯材３２ｃはそれぞれカップ頂上Ｔの手前まで延出して配置されていることにより、着用者のバストトップは補強体３０の芯材３１ｃ及び芯材３２ｃにより直接押圧されないこととなる。したがって、着用者のバストトップや芯材がカップ部１０の表面に浮き出すことを抑制して、バストを更に美感よく造形するとともに、着用者の圧迫感を軽減することが可能となる。
【００５１】
更に、以上の効果は、着用者にとっては、あたかもバストが掌により常時下方から支えられているかのような感触として受容され、肩への負担が低減されるともに、快適な装着感が与えられるもので、ひいてはブラジャー１の長期間の着用を可能としている。
【００５２】
このように、本発明の実施の形態１のブラジャー１は、カップ部１０においてカップ頂上Ｔの位置に一致する位置に配置された頂点部３０ｘを有するとともに縫合線１２ｘ及び縫合線１２ｙ上に沿って配置された補強体３０が設けられたことにより、バストを上げて、且つ寄せて、美感よく造形することを可能としている。
【００５３】
しかしながら、本発明は上記の実施の形態により限定されるものではない。
【００５４】
上記の説明においては、補強体３０において第２の副補強部３２は第１の副補強部３１より手前に重ねられるものとしたが、第１の副補強部３１と第２の副補強部３２との重ね合わせの順序は任意であってよい。更に、第１の副補強部３１の端部と第２の副補強部３２の端部とが重ならず、辺同士が接合された態様であってもよい。すなわち、本発明の第１の副補強部及び第２の副補強部は、互いに離隔することなく一体化して補強体３０を構成することができればよく、その一体化の具体的な態様によって限定されるものではない。
【００５５】
更に、補強体３０においては第１の副補強部３１の芯材３１ｃ及び第２の副補強部３２の芯材３２ｃのそれぞれがカップ頂上Ｔの手前まで達する構成としたが、図６（ａ）に示すように、第１の副補強部３１の芯材３１ｃがカップ頂上Ｔまで達するように延出する構成、又は第２の副補強部３２の芯材３２ｃがカップ頂上Ｔまで達するように延出する構成としてもよい。
【００５６】
要するに、本発明の補強体は、保護スリーブと保護スリーブに収容されるとともに、カップ部の表面に対する接線方向に弾性を有する芯材を備えたものであればよく、保護スリーブ内における芯材の具体的な配置、形状等によって限定されるものではない。
【００５７】
更に、上記の説明においては、補強体３０は第１の副補強部３１と第２の副補強部３２との重ね合わせにより、頂点部３０ｘにて屈曲する外形略Ｌ字状の平面形状を有するものとしたが、本発明の補強体は、３つ以上の副補強部を縦列及び／又は横列させて構成されるものであってもよいし、単一の補強部から構成されるものとしてもよい。
【００５８】
例えば、図６（ｂ）に示す補強体４０は、縫合線１２ｘに沿って脇布部２０ｂのサイドボーン２２側に向かって延出する一端４０ｙから、縫合線１２ｙに沿って下縁部２０ｙまで延出する他端４０ｚまでが、単一の保護スリーブ４０ａ及び芯材４０ｂにて構成される。更に、補強体４０は、カップ頂上Ｔ近傍を湾曲して一端４０ｙから他端４０ｚに達する態様を有する。
【００５９】
特に、補強体４０は、カップ頂上Ｔに重なるのではなく、近傍に位置する構成としたことにより、着用者のバストトップが芯材４０ｂにより直接押圧されないこととなり、バストを美感よく造形するとともに、着用者の圧迫感を軽減することが可能となる。なお、補強体４０は、補強体３０のように、頂点部を形成するように屈曲した態様であるとしてもよい。更に、補強体３１において、頂点部３０がカップ頂上Ｔの近傍に配置された構成であるとしてもよい。
【００６０】
次に、上記の説明においては、補強体３０を構成する第１の副補強部３１及び第２の副補強部３２は等幅の帯状の部材であるとしたが、本発明の補強体は、幅、すなわち横断面の形状が任意に変化していてもよい。例として、図７（ａ）に示す補強体５０は、第１の副補強部３１に代えて、縫合線１２ｘに沿って脇布部２０ｂのサイドボーン２２側に向かって延出する第１の副補強部５１が、脇布部２０ｂに近づくにつれて幅が連続的に大きくなり、同様に幅広に変化した芯材５１ａを有する構成を備える。
【００６１】
補強体５０においては、第１の副補強部５１により第１の領域１０ａとともにバストの腋寄りにおける保持力が増加することとなり、腋流れを抑制する効果をさらに高めるとともに、更に美感あるバストを造形し、かつ造形の保持力を高めることが可能となる。なお、上記の説明においては、第１の副補強部５１の幅を変化させるものとしたが、第２の副補強部３２の幅を下縁に向かって幅広に変化させるものとしてもよい。また、芯材５１ａは芯材３１ｃと同様同一幅のものであるとしてもよい。
【００６２】
このように、本発明の補強体は、カップ部の下縁の側から延出し、カップ部の頂上近傍にて屈曲又は湾曲してカップ部の前記外縁の側に達しているものであればよく、その他の具体的な形状、配置等により限定されるものではない。
【００６３】
更に、上記の説明においては、カップ部１０を構成するカップ本体１１は、同一材料のカップ布１１ａ〜１１ｃの縫着により構成されるものとしたが、カップ本体１１は、異なる複数の材料からなるカップ布により構成されるものとしてもよい。
【００６４】
特に、図７（ｂ）に示すカップ部１０は、第１の副補強部３１及び第２の副補強部３２に囲まれた第１の領域１０ａの部分を、マーキその他当て布を付加することにより、第２の領域１０ｂよりも伸縮性を小さくしたものとした構成を備える。
【００６５】
これにより、第１の領域１０ａはバストへの押圧力が高められ、腋流れを抑制する効果をさらに高めるとともに、更に美感あるバストを造形することが可能となる。なお、第１の領域１０ａにおける伸縮性の変化は、マーキその他当て布の付加によるものの他、カップ布１１ｂの材質を異ならせることにより実現してもよく、変化のための具体的な構成によって限定されるものではない。
【００６６】
更に、上記の説明においては、本発明のカップ部は、カップ部１０として、カップ本体１１に対して、ブラジャー１の使用時における着用者の体表に遠い側から、補強体３０、次いでカップくり１４が順に積層される構成としたが、カップ本体１１、カップくり１４及び補強体３０は任意の順で積層される構成としてもよい。
【００６７】
更に、上記の説明においては、本発明の補強体は、カップ本体１１に縫着される別部材としての補強体３０として説明を行ったが、本発明の補強体は、カップ部の下縁の側から延出し、カップ部の頂上又は頂上近傍にて屈曲又は湾曲して前記カップ部の外縁の側に達しているものであればよく、その具体的な構成によって限定されるものではない。
【００６８】
したがって、上記実施の形態の、保護スリーブ及び芯材による構成の他、合成繊維の織布、不織布等を縫製してなる部材として構成されていてもよいし、カップ布を縫合する縫合糸の集合体として構成されていてもよい。同様に、補強体３０は、各カップ布の縫合線１２ｘ、１２ｙ上に沿って配置されるものとしたが、カップ本体１１状であって各カップ布の縫合線と重ならない任意の位置に配置されるものとしてもよい。
【００６９】
更に、上記の説明においては、本発明のカップ付き衣類は、ブラジャー１としてカップ部が台布部に縫着又は接着された、所謂台倒しの構成であるとしたが、本発明は、カップ部と他の部分との具体的な結合の態様によって限定されるものではなく、下縁部２０ｙを省略してカップくり１４が土台布の縁に達した、所謂カップ倒しの態様であるとしてもよい。
【００７０】
更に、ブラジャー１はハーフカップのブラジャーであるとしたが、本発明は、例えば３／４カップのブラジャーにおいて実現してもよく、カップの種類によって限定されるものではない。
【００７１】
しかしながら、本発明は、上記の説明のように、ストラップレスの構成において、ストラップによるバスト持ち上げに相当する作用を、カップ部の構成により実現することが可能なことを特徴とする。したがって、本発明が、ハーフカップ又はストラップレスに対応したカップを備えたブラジャーにおいて適用されることは、着用者のバストを含めた上半身の美感を向上させる効果、及び着用者の肩への負担を低減する効果を併せて奏し、より好適である。
【００７２】
更に、上記の説明においては、一対のカップ部１０の双方に補強体３０を備えた構成としたが、本発明は、少なくとも一対のいずれか一方のカップ部に補強体を備えた構成であればよい。
【００７３】
更に、上記の説明においては、本発明のカップ付き衣類は、ブラジャー１であるとして説明を行ったが、本発明は、一対のカップ部を有する衣類であればよく、その他の用途、構成によって限定されるものではない。したがって、ブラジャーの他、ビスチェ、チュチュ、ボディシェイパー、ボディスーツその他のファンデーション又はランジェリーとして実施してもよい。更に、下着類の他、ドレス等として実施してもよい。
【００７４】
本発明によれば、上記の説明のように、ストラップレスの構成においてカップ部のみでバストを上げて、且つ寄せて、美感よく造形することができ、着用者の肩及び襟ぐりを大きく露出させて美感を向上させ、かつ着用者の肩への負担を低減する効果を併せて奏することができるため、ストラップレスブラジャー、ボティシェイパ−等の他、肩紐（ストラップ）を必要としないイヴニングドレスに好適である。ただし、肩がバストからの負荷を受けることを目的としない装飾用のストラップを設ける構成としてもよい。
【００７５】
要するに、本発明は、その要旨を逸脱しない範囲内であれば、以上説明したものを含め、上記実施の形態に種々の変更を加えたものとして実施してもよい。
【産業上の利用可能性】
【００７６】
以上のような本発明は、バストを美感よく造形することが可能になるという効果を有し、例えばハーフカップブラジャーのようなカップ付き衣類において有用である。
【符号の説明】
【００７７】
１  ブラジャー
１０  カップ部
１０ａ  第１の領域
１０ｂ  第２の領域
１１  カップ本体
１１ａ、１１ｂ、１１ｃ  カップ布
１１ｘ  上カップ
１１ｙ  下カップ
１２ｘ、１２ｙ、１２ｚ  縫合線
２０ａ  前中心部
２０ｂ  脇布部
２０ｃ  バック部
２０ｘ  縫着領域
２０ｙ  下縁部
２２  サイドボーン
３０、４０、５０  補強体
３０ｘ  頂点部
３０ｙ、４０ｙ  一端
３０ｚ、４０ｚ  他端
３１、５１  第１の副補強部
３１ａ、４０ａ  保護スリーブ
３１ｂ  芯地
３１ａ１  空隙
３１ｃ、３２ｃ、４０ｂ、５１ａ  芯材
３１ａ２  縫目
３２  第２の副補強部
【図１】
2018040087.tif 000003
【図２】
2018040087.tif 000004
【図３】
2018040087.tif 000005
【図４】
2018040087.tif 000006
【図５】
2018040087.tif 000007
【図６】
2018040087.tif 000008
【図７】
2018040087.tif 000009
【手続補正書】
【提出日】平成29年10月10日(2017.10.10)
【手続補正１】
【補正対象書類名】特許請求の範囲
【補正対象項目名】全文
【補正方法】変更
【補正の内容】
【特許請求の範囲】
【請求項１】
人体のバストをそれぞれの下縁で支える一対のカップ部と、
前記一対のカップ部の、少なくともいずれか一方を補強する補強体とを備え、
前記補強体は、
前記カップ部の前記下縁の側から延出し、前記カップ部の頂上又は頂上近傍にて屈曲又は湾曲して、前記カップ部の、前記人体の両腋のそれぞれに近接する外縁の側に達しているとともに、
その一端が前記カップ部の前記外縁に達する帯状の第１の副補強部と、
その一端が前記カップ部の前記下縁に達する帯状の第２の副補強部とを有し、
前記第１の副補強部の他端と前記第２の副補強部の他端とが、前記カップ部の頂上又は頂上近傍にて一体化している、
カップ付き衣類。
【請求項２】
前記カップ部の、前記補強体に囲まれる領域は、他の領域よりも伸縮性が小さい、
請求項１に記載のカップ付き衣類。
【請求項３】
前記補強体の前記第２の副補強部は、前記カップ部の頂上から前記カップ部の外縁に向かって傾斜して延出している、
請求項２に記載のカップ付き衣類。
【請求項４】
前記第１の副補強部及び第２の副補強部の少なくともいずれか一方は、
保護スリーブと、前記保護スリーブに収容され、少なくとも前記カップ部の表面に対する接線方向に弾性を有する芯材とを有する、
請求項１から３のいずれかに記載のカップ付き衣類。
【請求項５】
前記芯材はスパイラルボーンである、請求項４に記載のカップ付き衣類。
【請求項６】
ストラップレスブラジャーである、
請求項１から５のいずれかに記載のカップ付き衣類。